(57)【要約】【課題】容器収容部に対する飲料容器の出し入れを容易に行ない得るようにすると共に、該飲料容器の変形や破損を防止し得るようにする。【解決手段】容器保持体２０は、容器収容部１２を画成した容器収容部材１０の外側壁面にスライド可能に配設されたスライド支持部材３２へ揺動可能に配設され、該容器収容部１２に対して進退自在となっている。また容器保持体２０は、スライド支持部材３２が圧縮バネ３８で付勢されていることで、常には前記容器収容部１２に近接する方向へ前進付勢されている。これにより、容器収容部１２に対する飲料容器の出し入れ時に、容器保持体２０が揺動変位および／または進退変位するようになり、該飲料容器に対する押し付け保持力を緩和させ得る。【選択図】図１
2005349959.tif 000002
【特許請求の範囲】
【請求項１】
飲料容器(B)を受容保持し得る容器収容部(12)と、この容器収容部(12)の側方において揺動可能に配設され、常には該容器収容部(12)の内側へ延出するよう付勢された容器保持体(20)とからなり、前記容器収容部(12)へ受容した前記飲料容器(B)に前記容器保持体(20)を当接させて保持する容器ホルダにおいて、
前記容器保持体(20)は、前記容器収容部(12)の側方に進退自在に配設されると共に、常には該容器収容部(12)に近接する方向へ前進付勢され、
前記容器収容部(12)に対する前記飲料容器(B)の出し入れ時に、前記容器保持体(20)が揺動変位および／または進退変位することで、該飲料容器(B)に対する押し付け保持力を緩和させるよう構成した
ことを特徴とする容器ホルダ。
【請求項２】
前記容器保持体(20)は、前記容器収容部(12)を画成した容器収容部材(10)の外側壁面にスライド可能に配設されたスライド支持部材(32)へ揺動可能に配設され、
前記スライド支持部材(32)に係合した第１付勢部材(38)の付勢により、常には前記容器収容部(12)に近接する方向へ前進付勢されている請求項１記載の容器ホルダ。
【請求項３】
前記容器保持体(20)は、前記スライド支持部材(32)との間に配設された第２付勢部材(34)により、前記容器収容部(12)に対する前記飲料容器(B)の出し入れ方向と交差する方向へ延出した中立位置に保持され、この中立位置から該容器収容部(12)の上方向および下方向へ夫々所要角度に揺動し得る請求項１または２記載の容器ホルダ。
【発明の詳細な説明】
【技術分野】
【０００１】
本発明は、容器ホルダに関し、更に詳細には、飲料容器を受容保持し得る容器収容部と、この容器収容部の側方において揺動可能に配設され、常には該容器収容部の内側へ延出するよう付勢された容器保持体とからなり、容器収容部へ受容した飲料容器に容器保持体を当接させて保持する容器ホルダに関するものである。
【背景技術】
【０００２】
近年生産される殆どの自動車では、乗員室内の快適性向上に寄与する室内装備品の一つとして、コーヒーやジュース等の飲料水を収容したカン、ビン、ペットボトルまたは紙コップ等の種々飲料容器を受容保持可能な容器ホルダが、乗員室内に配設されたインストルメントパネル、フロアコンソール、アームレスト、ドアパネル等の車両内装部材の所要位置(少なくとも乗員の手が届く範囲)に配設されている。この容器ホルダは、例えば前述した車両内装部材に凹設されて上方に開口した有底筒体状の固定タイプ、該車両内装部材に格納されて使用時に引出して使用する可動タイプ等、飲料容器を受容保持し得る容器収容部を画成した様々な形態のものが実用化されている。
【０００３】
また前述した種々飲料容器は、形状、サイズ、材質等が多種に亘っている。このため容器ホルダは、どのような飲料容器にも対応してこれを安定的に受容保持し得る汎用性が要求されるため、例えば特許文献１または特許文献２等に開示された構成のものが実用化されている。これら特許文献１および特許文献２に開示の容器ホルダＣＨ１は、その概略構成を図９(ａ)に例示するように、飲料容器Ｂを受容保持し得る容器収容部１２を画成した容器収容部材１０と、この容器収容部材１０の側方において揺動可能に配設され、常には該容器収容部１２の内側へ延出するよう付勢された容器保持体２０を備えたものとなっている。すなわち容器保持体２０は、トーションバネ１４等の弾性力を利用して常には容器収容部１２の内方へ所要量だけ延出しており(図９(ａ))、この容器収容部１２へ受容させる飲料容器Ｂが接触して上方から押圧することで下方へ揺動変位すると共に、トーションバネ１４の弾性力を以て受容した該飲料容器Ｂを容器収容部材１０の内壁へ押し付けて安定的に保持するために機能する(図９(ｂ))。そして、下方への揺動変化量に応じて容器収容部１２に対する延出量Ｓが変化するため、前述した異なる形状、サイズの飲料容器Ｂの受容が許容されると共に保持可能となっている。
【特許文献１】実開平０６−０５０９６９号公報
【特許文献２】実開平０６−０７８０６６号公報
【発明の開示】
【発明が解決しようとする課題】
【０００４】
ところで、図９に例示した従来形態の容器ホルダＣＨ１では、トーションバネ１４による付勢力を利用して容器保持体２０を飲料容器Ｂへ押し付けることで、種々の形状、サイズの飲料容器Ｂを安定的に受容保持し得る利点がある。しかしながら容器保持体２０は、揺動支点１６が容器収容部材１０の壁部に固定されていて、常には同一位置において揺動変位する構造となっているため、例えば斜め下方へ揺動変位している状態(図９(ｂ)の位置)から初期位置(図９(ａ)の位置)へ揺動復帰する場合、当然のことながら容器収容部１２への延出量Ｓが増大するようになる。従って、容器収容部１２へ受容保持されている飲料容器Ｂを容器ホルダＣＨ１から取り出す場合、これに追従して容器保持体２０が揺動変位することに伴って飲料容器Ｂに対する押し付け力が増大してしまい、該飲料容器Ｂの取り出しに支障を来たす問題を内在していた。殊に、紙製や発泡スチロール製のコップ形態の飲料容器Ｂでは、それ自体の強度が低いうえに、容器保持体２０との摩擦が大きくなる傾向にあるため、取り出そうとした飲料容器Ｂへ容器保持体２０が食い込んで該飲料容器Ｂの変形が生じたり、或いは破損して飲料水の漏出を誘発する等の虞もあった。
【０００５】
従って本発明では、容器収容部へ臨んで配設した容器保持体を揺動変位および進退変位が可能となるよう配設することで、該容器収容部に対する飲料容器の出し入れを容易に行ない得るようにすると共に、該飲料容器の変形や破損を防止し得るようにした容器ホルダを提供することを目的とする。
【課題を解決するための手段】
【０００６】
前記課題を解決し、所期の目的を達成するため本発明は、
飲料容器を受容保持し得る容器収容部と、この容器収容部の側方において揺動可能に配設され、常には該容器収容部の内側へ延出するよう付勢された容器保持体とからなり、前記容器収容部へ受容した前記飲料容器に前記容器保持体を当接させて保持する容器ホルダにおいて、
前記容器保持体は、前記容器収容部の側方に進退自在に配設されると共に、常には該容器収容部に近接する方向へ前進付勢され、
前記容器収容部に対する前記飲料容器の出し入れ時に、前記容器保持体が揺動変位および／または進退変位することで、該飲料容器に対する押し付け保持力を緩和させるよう構成したことを特徴とする。
【発明の効果】
【０００７】
本発明に係る容器ホルダによれば、容器収容部に対する飲料容器の出し入れ時に、容器保持体が揺動変位および／または進退変位するようになるため、飲料容器に対する該容器保持体の押し付け保持力が緩和されて略一定に保持される。従って、飲料容器の出し入れを円滑かつ容易に行ない得ると共に、紙製や発泡スチロール製等の強度が低いコップ形態の飲料容器であっても変形や破損等の発生が好適に防止される等の有益な効果を奏する。
【発明を実施するための最良の形態】
【０００８】
次に、本発明に係る容器ホルダにつき、好適な実施例を挙げて、添付図面を参照しながら以下説明する。なお、図９に既出の部材・部位と同一の部材・部位については、同一の符号を付して説明する。
【実施例】
【０００９】
図１は、好適実施例に係る容器ホルダを例示した一部破断正面図である。本実施例の容器ホルダＣＨは、種々のサイズ、形状の飲料容器Ｂを受容保持し得る容器収容部１２を画成した容器収容部材１０と、この容器収容部材１０の側方において揺動可能に配設され、常には該容器収容部１２の内側へ延出するよう付勢された容器保持体２０とを有している。そして、容器収容部１２へ飲料容器Ｂを受容した際には、該飲料容器Ｂに容器保持体２０を当接させ、該飲料容器Ｂを容器収容部１２の内壁へ押し付けて保持する構造となっている。しかも容器保持体２０は、容器収容部１２の側方に進退自在に配設されると共に、常には該容器収容部１２に近接する方向へ前進付勢され、この容器収容部１２に対する飲料容器Ｂの出し入れ時に、この容器保持体２０が揺動変位および／または進退変位することで、該飲料容器Ｂに対する押し付けが所定以上に増大するのを防止して押し付け力を緩和させるようになっている。
【００１０】
容器収容部１２を画成する容器収容部材１０は、例えばＰＰやＡＢＳ等の合成樹脂材料からインジェクション成形技術に基づいて成形されたもので、カン、ビン、ペットボトルまたは紙コップ等の種々形状、サイズの飲料容器Ｂを受容可能なサイズ(直径、深さ)の有底円筒状を呈し、前述した種々車両内装部材(インストルメントパネル、フロアコンソール、アームレスト、ドアパネル)の所要位置に取付固定されるようになっている。そして、円筒側壁部１０Ａの所要位置に、容器保持体２０を揺動変位および進退変位可能に支持する保持体支持機構３０を組み付けるための設置部１８が形成されている。すなわち設置部１８は、前述した容器保持体２０の挿通を許容するよう円筒側壁部１０Ａへ矩形状に開設された開口部２２と、この開口部２２の左右両側に位置して円筒側壁部１０Ａから外方へ延出した一対の取付ボス部２４,２４とから構成されている。
【００１１】
容器保持体２０を支持する保持体支持機構３０は、図２および図４に例示するように、当該の容器保持体２０を揺動可能に支持するスライド支持部材３２と、常には容器保持体２０を中立位置に保持させる板バネ(第２付勢部材)３４と、スライド支持部材３２をスライド可能に内装する案内保持部材３６と、常にはスライド支持部材３２を容器収容部１２に近接する前進方向へ付勢する圧縮バネ(第１付勢部材)３８等から構成されている。すなわち容器保持体２０は、容器収容部１２を画成した容器収容部材１０の外側壁面にスライド可能に配設されたスライド支持部材３２へ揺動可能に配設され、このスライド支持部材３２に係合した圧縮バネ３８の付勢により、常には容器収容部１２に近接する方向へ前進付勢された構造となっている。これにより、容器収容部１２に対する飲料容器Ｂの出し入れ時に、容器保持体２０が揺動変位および／または進退変位するようになり、該飲料容器Ｂに対する押し付け保持力を緩和させ得る。
【００１２】
案内保持部材３６は、図２および図４に例示するように、ＰＰやＡＢＳ等の合成樹脂材料からインジェクション成形技術に基づいて成形された有底角筒状を呈するシリンダ状部材であって、長手方向の一方端部が全面的に開放して開口部４０を有すると共に、他方端部の壁部４２に円形の挿通孔４４が穿設されている。外壁部の左側および右側の側面には、ビス挿通孔を穿設した取付片部４６,４６が案内保持部材３６と一体的に形成されており、前述した取付ボス部２４,２４に各々対応するようになっている。そして、開口部４０を介して前述したスライド支持部材３２を内部に収容すると共に、その長手方向に沿った該スライド支持部材３２の往復スライド摺動を許容するようになっている。このような案内保持部材３６は、図５に例示するように、設置部１８の開口部２２に対して開口端側を整合させ、取付ボス部２４,２４に整合した取付片部４６,４６を介してビス４８を締結することで、容器収容部材１０の外側に略水平状態で取付固定される。
【００１３】
スライド支持部材３２は、図２〜図４に例示するように、例えばＰＯＭ(ポリアセタール)等の自己潤滑性を有する合成樹脂材料からインジェクション成形技術に基づいて成形された矩形のバケット状を呈し、前述した案内保持部材３６の内部に収容可能なサイズとされている。そして、外周壁面に突設された複数の凸リブ５０が、案内保持部材３６の内壁面へ常に接触した状態となり、自己潤滑性を有していることにより摺接しながらスムーズなスライド移動が可能となっている。また、左右の外壁部は前方へ三角形状に延出しており、前述した容器保持体２０を支持する軸ピン６４を挿通支持するための軸支孔５２,５２が穿設されている。更に、後壁部には前述した挿通孔４４へ挿通される丸棒状のガイドロッド５４が延出形成されており、挿通孔４４へ挿通した該ガイドロッド５４の先端に抜止め用のボルト５６を締結させることで、案内保持部材３６に対する抜止め防止が図られるようになっている。
【００１４】
なお、前述したガイドロッド５４にはコイル状の前述の圧縮バネ３８が外装されており、スライド支持部材３２の後端面と案内保持部材３６の内部後端面との間に位置して、常には適宜圧縮された状態で配設されている。従って、案内保持部材３６に内装されたスライド支持部材３２は、圧縮バネ３８の復帰弾力により常には容器収容部１２に近接する方向へ前進付勢されており、ボルト５６の頭部が案内保持部材３６の挿通孔４４の端部に当接した位置で停止保持されている。そして、前方から所定以上の外力が加わった際には、圧縮バネ３８が圧縮的に変形することで、当該スライド支持部材３２の後退移動が許容される。
【００１５】
容器保持体２０は、図１〜図４に例示するように、ＰＰやＡＢＳ等の合成樹脂材料からインジェクション成形技術に基づいて成形され、揺動支点側から揺動先端側に向けて先細となる所要幅のフラップ形状を呈している。そして揺動支点側には、内部隔壁５８,５８により区画形成された開口空間６０が開口しており、この開口空間６０へ板バネ３４の基部６８が突入するようになっている。また、左右の側壁面には、前述したスライド支持部材３２に挿通支持される軸ピン６４の挿通を許容する軸孔６２,６２が穿設されており、これら軸孔６２,６２は前述した開口空間６０に臨んで開口している。従って容器保持体２０は、該容器保持体２０の各軸孔６２,６２をスライド支持部材３２の各軸支孔５２,５２に整合させたもとで、前述の軸ピン６４をこれらに順次挿通させ、反対側へ突出した該軸ピン６４の先端溝部にＥリング６６を嵌着させることで、スライド支持部材３２に対してこの軸ピン６４を中心とした上下方向への揺動変位が可能に取り付けられる。
【００１６】
板バネ３４は、所要長の帯状バネ材を折曲成形したもので、前述した容器保持体２０の開口空間６０へ挿入される横断面が略Ｕ字形の基部６８と、この基部６８の両端縁から延長形成された当接片部７０,７０とからなっている。そして、前述した開口空間６０へ基部６８を挿入した際には、この基部６８が内部隔壁５８,５８に密着するようになると共に、各当接片部７０,７０が容器保持体２０の後方からハ字形に延出するようになっており、また両当接片部７０,７０の先端間の延出幅Ｗ(図４)は、前述したスライド支持部材３２の内側上下寸法より若干大きく設定されている。従って、スライド支持部材３２に対して容器保持体２０を取り付けた際には、図２(ａ)に例示するように、板バネ３４が若干縮幅的に弾性変形して両当接片部７０,７０の先端がスライド支持部材３２の内壁面に当接した状態となり、容器保持体２０はスライド支持部材３２から水平に延出した中立位置に姿勢保持される。
【００１７】
前述した案内保持部材３６、スライド支持部材３２、圧縮バネ３８および板バネ３４等から構成される保持体支持機構３０は、図４に例示したように、これら各部品を組み立てて単一にユニット化され、案内保持部材３６の開口部４０から容器保持体２０の揺動先端側が所要量だけ延出した状態となっている(図２(ａ)、図５)。このようにユニット化された保持体支持機構３０は、前述すると共に図５に例示したように、容器収容部材１０に形成された設置部１８の開口部２２に対して容器保持体２０を整合させ、各々に取付片部４６,４６に整合した取付ボス部２４,２４に対してビス４８を締結させることで容器収容部材１０へ固定される。これにより容器保持体２０は、図１および図２(ａ)に例示したように、容器収容部１２に向けて略水平に延出してその延出量Ｓが最大となっている。
【００１８】
従って、保持体支持機構３０により支持された容器保持体２０を装備した本実施例の容器ホルダＣＨでは、例えば容器保持体２０が上方から押圧された場合、図３(ａ)に例示するように、上側の当接片部７０がスライド支持部材３２の内側上面へ強く押し付けられて板バネ３４が弾性変形するようになり、これに伴って該容器保持体２０の下方への揺動変位が許容される。そして、容器保持体２０に対する上方からの押圧が解除された場合は、板バネ３４の復帰弾力により容器保持体２０は元の中立位置へ復帰するようになる。
【００１９】
また、容器保持体２０が下方から押圧された場合(または上方へ引張られた場合)は、図３(ｂ)に例示するように、下側の当接片部７０がスライド支持部材３２の内側下面へ強く押し付けられて板バネ３４が弾性変形するようになり、これに伴って該容器保持体２０の上方への揺動変位が許容される。そして、容器保持体２０に対する下方からの押圧(または上方への引張り)が解除された場合は、板バネ３４の復帰弾力により容器保持体２０は元の中立位置へ復帰するようになる。
【００２０】
更に、容器保持体２０が中立位置、上向位置および下向位置の何れかに姿勢変位した状態において、該容器保持体２０が前方(正面)から押圧された場合は、図２(ｂ)に例示するように、圧縮バネ３８が圧縮的に弾性変形するようになり、これに伴ってスライド支持部材３２が容器収容部１２から離間する後退移動が許容され、容器収容部１２に対する容器保持体２０の延出量Ｓが減少するようになる。そして、容器保持体２０に対する正面からの押圧が解除された場合は、圧縮バネ３８の復帰弾力により、スライド支持部材３２は容器収容部１２へ近接する前進移動が許容され、容器収容部１２に対する容器保持体２０の延出量Ｓが増大するようになる。
【００２１】
前述のように構成された本実施例の容器ホルダＣＨでは、例えば外径寸法が比較的小さい飲料容器(２００ｍｌや２５０ｍｌ等のカン)Ｂの場合においては、図６(ａ)に例示するように、該飲料容器Ｂが容器保持体２０へ殆ど接触せずに容器収容部１２へ受容されるようになるから、該容器保持体２０の揺動変位および進退変位は殆ど起こらない。また、外径寸法が中程度の飲料容器(３５０ｍｌのカンや５００ｍｌのペットボトル等)Ｂの場合においては、図６(ｂ)に例示するように、飲料容器Ｂが容器保持体２０へ軽く接触しながら容器収容部１２へ受容されるようになるから、容器保持体２０が下方へ揺動変位するだけで当該飲料容器Ｂの受容が許容されるようになり、該容器保持体２０の後退変位(進退変位)は殆ど起こらない。
【００２２】
一方、外径寸法が大きい飲料容器(５００ｍｌ以上の紙製または発泡スチロール製の容器等)Ｂの場合においては、図７(ａ)に例示するように、飲料容器Ｂが容器保持体２０へ接触するようになる。これにより容器保持体２０は、飲料容器Ｂの押圧により先ず最下位置まで揺動変位するが、これだけではまだ飲料容器Ｂの受容が許容されない。従って、容器保持体２０が最下位置まで揺動変位した状態で更に飲料容器Ｂによる押圧力が加わると、図７(ｂ)に例示するように該容器保持体２０は後退変位するようになり、これにより当該飲料容器Ｂの受容が許容されるようになる。
【００２３】
また、容器収容部１２に受容保持されている飲料容器Ｂを取り出す場合には、図８(ａ)に例示するように、容器保持体２０は飲料容器Ｂの上方移動に伴って上方へ引張られるため、最下位置から最上位置へ揺動変位するようになる。この揺動変位の過程では、図８(ａ)に２点鎖線で表示したように、略水平となる中立位置を通過する時点で延出量Ｓが一時的に増大するようになるものの、押し付け力の増大に伴って発生する反力でスライド支持部材３２が後退変位するようになるから、実際には飲料容器Ｂに対する容器保持体２０の押し付け保持力は増大せずに緩和される。すなわち飲料容器Ｂの取り出しに際しては、容器保持体２０が揺動変位および進退変位するようになり、容器保持体２０による押し付け保持力が所定以上に大きくならないため、該飲料容器Ｂの取り出しが円滑になされると共に、該飲料容器Ｂの変形や破損等が発生することもない。そして、上方へ引き上げた飲料容器Ｂから容器保持体２０が外れると、図８(ｂ)に例示するように、該容器保持体２０は中立位置へ揺動変位すると共にスライド支持部材３２が前進変位する。
【００２４】
このように本実施例の容器ホルダＣＨでは、容器収容部１２に対する飲料容器Ｂの出し入れ時に、容器保持体２０が揺動変位および／または進退変位するようになるため、飲料容器Ｂに対する該容器保持体２０の押し付け保持力が緩和されて略一定に保持される。従って、飲料容器Ｂの出し入れを円滑かつ容易に行ない得ると共に、紙製や発泡スチロール製等の強度が低いコップ形態の飲料容器Ｂであっても変形や破損等の発生が好適に防止される。
【００２５】
なお、容器収容部材１０や容器保持体２０の形状は前述した実施例のものに限定されるものではなく、また容器保持体２０を支持する保持体支持機構３０も、該容器保持体２０が、容器収容部１２の側方に進退自在に配設されると共に、常には該容器収容部１２に近接する方向へ前進付勢されることを前提として、これ以外の形態であってもよい。例えば前述した実施例では、スライド支持部材３２および案内保持部材３６から構成した保持体支持機構３０を例示したが、ガイドロッド５４の先端へ容器保持体２０を揺動可能に配設するようにして、スライド支持部材３２を省略した形態であってもよい。
【産業上の利用可能性】
【００２６】
本発明に係る容器ホルダは、飲料容器を受容保持し得る容器収容部と、この容器収容部の側方において揺動可能に配設され、常には該容器収容部の内側へ延出するよう付勢された容器保持体とからなり、容器収容部へ受容した飲料容器に容器保持体を当接させて保持する容器ホルダである。このような容器ホルダは、例えばインストルメントパネル、フロアコンソール、アームレスト、ドアパネル等の車両内装部材を配設した車両等に好適に実施可能である。
【図面の簡単な説明】
【００２７】
【図１】本発明の好適実施例に係る容器ホルダを例示した一部破断正面図である。
【図２】容器保持体を支持する保持体支持機構を例示した説明断面図であって、(ａ)は、容器保持体に外力が全く加わっていない場合を例示し、(ｂ)は、容器保持体に対して前方(正面)から外力が加わった場合を例示している。
【図３】容器保持体を支持する保持体支持機構を部分的に例示した説明断面図であって、(ａ)は、容器保持体に対して上方から外力が加わった場合を例示し、(ｂ)は、容器保持体に対して下方から外力が加わった場合を例示している。
【図４】容器保持体を揺動変位および進退変位可能に支持する保持体支持機構の分解斜視図である。
【図５】容器収容部材に形成した設置部へ、容器保持体を支持した保持体支持機構を取り付ける状態を示した説明斜視図である。
【図６】飲料容器を容器収容部へ受容させる状態を示した説明図であって、(ａ)は、外径寸法が比較的小さい飲料容器の場合を例示し、(ｂ)は、外径寸法が中程度の飲料容器の場合を例示している。
【図７】外径寸法が大きい飲料容器を容器収容部へ受容させる状態を示した説明図であって、(ａ)は、上方から飲料容器に押圧された容器保持体が先ず下方へ揺動変位することを示し、(ｂ)は、揺動変位した容器保持体が更に後退変位することを示している。
【図８】容器収容部へ受容保持されていた飲料容器を取り出す状態を示した説明図であって、(ａ)は、上方へ引き上げた飲料容器に追従して、容器保持体が上方へ揺動変位すると共に若干進退変位することを示し、(ｂ)は、飲料容器から外れた容器保持体が元の状態に復帰することを示している。
【図９】従来の容器ホルダを例示した説明断面図であって、(ａ)は、容器収容部へ飲料容器を受容させる状態を示し、(ｂ)は、容器収容部へ受容保持されていた飲料容器を取り出すに際し、該飲料容器に対する容器保持体の押し付け保持力が増大する不都合が発生することを示している。
【符号の説明】
【００２８】
１０  容器収容部材
１２  容器収容部
２０  容器保持体
３２  スライド支持部材
３４  板バネ(第２付勢部材)
３８  圧縮バネ(第１付勢部材)
Ｂ  飲料容器
【図１】
2005349959.tif 000003
【図２】
2005349959.tif 000004
【図３】
2005349959.tif 000005
【図４】
2005349959.tif 000006
【図５】
2005349959.tif 000007
【図６】
2005349959.tif 000008
【図７】
2005349959.tif 000009
【図８】
2005349959.tif 000010
【図９】
2005349959.tif 000011